(57)【要約】【課題】簡易な構成で、使い勝手が良く、破損を防止できるリアゲートのリアスポイラ構造を提供する。【解決手段】リアスポイラ構造は、車両の後方に設けられた荷箱の後部に開閉自在に取り付けられたリアゲートに設けられ、車両後方に突出するリインフォースメントと、リインフォースメントを覆うようにリインフォースメントに組み付けられるリアスポイラと、を備えている。リアスポイラは、リアスポイラがリアゲートの上部に設けられたハイマウントストップランプの両側方及び上方を囲むように、ハイマウントストップランプに対応する部位を上方に窪ませたスポイラ側の窪み部を有している。そして、スポイラ側の窪み部の上面に、リインフォースメントに向かい突出するリブが設けられている。【選択図】図２
2019098835.tif 000002
【特許請求の範囲】
【請求項１】
車両の後方に設けられた荷箱の後部に開閉自在に取り付けられたリアゲートに設けられ、車両後方に突出するリインフォースメントと、
前記リインフォースメントを覆うように前記リインフォースメントに組み付けられるリアスポイラと、を備え、
前記リアスポイラは、前記リアスポイラが前記リアゲートの上部に設けられたハイマウントストップランプの両側方及び上方を囲むように、前記ハイマウントストップランプに対応する部位を上方に窪ませたスポイラ側の窪み部を有し、
前記スポイラ側の窪み部の上面に、前記リインフォースメントに向かい突出するリブが設けられている
ことを特徴とするリアゲートのリアスポイラ構造。
【請求項２】
前記リブは、車両前後方向に延在している
ことを特徴とする請求項１に記載のリアゲートのリアスポイラ構造。
【請求項３】
前記リアスポイラの後板の前記リインフォースメントを向く面には、前記リインフォースメントに向かい突出し、上下方向に延在する縦リブが設けられる
ことを特徴とする請求項２に記載のリアゲートのリアスポイラ構造。
【請求項４】
前記リインフォースメントは、前記リインフォースメントが前記ハイマウントストップランプの両側方及び上方を囲むように、前記ハイマウントストップランプに対応する部位を上方に窪ませたリインフォースメント側の窪み部を有し、
前記リインフォースメント側の窪み部は、前記ハイマウントストップランプの上方に位置し、車両前後方向に延びる上壁と、前記上壁の両側端から下方へ延び、前記リインフォースメントの下端と連結する側壁とにより形成され、
前記リインフォースメントの下端は、前記リアゲートに固定され、
前記リブは、前記上壁に向かい突出する
ことを特徴とする請求項１から３のいずれか１項に記載のリアゲートのリアスポイラ構造。
【請求項５】
前記リアスポイラは、前記リインフォースメントの上部に取り付けられるリアスポイラアッパと、前記リインフォースメントの後部に取り付けられるリアスポイラロアとを備え、
前記スポイラ側の窪み部は、前記リアスポイラロアに設けられ、
前記リアスポイラアッパは、前記リアスポイラロアに向かい突出する挿込片を有し、
前記リアスポイラロアは、前記挿込片が挿入される挿込口を有する
ことを特徴とする請求項１から４のいずれか１項に記載のリアゲートのリアスポイラ構造。
【請求項６】
前記スポイラ側の窪み部は、前記リアゲートの車幅方向中央に位置する
ことを特徴とする請求項１から５のいずれか１項に記載のリアゲートのリアスポイラ構造。
【発明の詳細な説明】
【技術分野】
【０００１】
本発明は、車両後部に設けられた荷箱のリアゲートに取り付けられるリアスポイラ構造に関する。
【背景技術】
【０００２】
車室の後方に荷箱を設けた車両がある。かかる車両は、人を載せるとともに、適度な荷物を運搬でき、使い勝手が良いことが知られている。荷箱には、後方にリアゲートが開閉自在に設けられている。
【０００３】
このような車両では、走行中、荷箱に走行風が流れ込むことで空気抵抗が増大する。この問題を解決するために、様々な方法が考えられている。例えば特許文献１では、リアゲートに前方に向かって下り傾斜する変向板を設けることで空気抵抗を低減している。その他、リアゲートの上部に、後方に突出したリアスポイラを取り付け、空気抵抗を低減する例が知られている。
【先行技術文献】
【特許文献】
【０００４】
【特許文献１】特開２０００−２６４２６２号公報
【発明の概要】
【発明が解決しようとする課題】
【０００５】
リアゲートにリアスポイラが取り付けられた車両では、作業者がリアスポイラを持ってリアゲートを引き上げ、開いた状態からリアゲートを閉じようとすることが想定される。そのため、仮にリアスポイラが十分な強度を有していないと、リアスポイラが破損するおそれが考えられる。また、リアスポイラの形状によっては、リアスポイラが持ちにくく、使い勝手が悪くなることもある。
【０００６】
本発明は、リアスポイラを取り付けた車両において、簡易な構成で、使い勝手が良く、破損を防止できるリアゲートのリアスポイラ構造を提供することを目的とする。
【課題を解決するための手段】
【０００７】
本発明は、上記の課題を解決するため、リアゲートに取り付けられるリアスポイラ構造を次のように構成した。リアスポイラ構造は、車両の後方に設けられた荷箱の後部に開閉自在に取り付けられたリアゲートに設けられ、車両後方に突出するリインフォースメントと、リインフォースメントを覆うようにリインフォースメントに組み付けられるリアスポイラと、を備えている。
【０００８】
リアスポイラは、リアスポイラが、リアゲートの上部に設けられたハイマウントストップランプの両側方及び上方を囲むように、ハイマウントストップランプに対応する部位を上方に窪ませたスポイラ側窪み部を有している。そして、スポイラ側窪み部の上面に、リインフォースメントに向かい突出するリブが設けられている。
【発明の効果】
【０００９】
リアゲートのハイマウントストップランプを避けるために細く形成されたリアスポイラの中央部分に、リアゲートを引き上げるための力が加えられても、リアスポイラは、リブを介してリインフォースメントに押し付けられ、リアスポイラには、過大な荷重がかからない。
【００１０】
これにより、ハイマウントストップランプにより中央部分が細く形成されたリアスポイラにおいて、リアスポイラを破損させることなくリアゲートの閉鎖動作を円滑に行える。
【図面の簡単な説明】
【００１１】
【図１】本発明の一実施形態にかかるリアスポイラ構造を備えた車両を示す斜視図。
【図２】リアスポイラを備えたリアゲートを示す斜視図。
【図３】リアスポイラ構造を示す分解斜視図。
【図４】リアスポイラ構造のリインフォースメントを示す斜視図。
【図５】リアスポイラのリアスポイラロアを示す斜視図。
【図６】リアスポイラのリアスポイラアッパを示す斜視図。
【図７】リアスポイラを破断して示す断面図。
【図８】同リアスポイラを破断して示す断面図。
【図９】同リアスポイラを破断して示す断面図。
【図１０】リアスポイラロアを示す部分斜視図。
【図１１】リアスポイラアッパの裏面を示す部分斜視図
【発明を実施するための形態】
【００１２】
本発明の一実施形態にかかるリアスポイラ構造について説明する。図１に、リアスポイラ１０を備えた車両１２を示す。車両１２は、前方に車室１４、後方に荷箱１６を備えている。車室１４には、乗員用のシートが設けられている。
【００１３】
荷箱１６は、車室１４の後壁１８の後方に設けられている。荷箱１６は、底板部２０と底板部２０の左右に設けられた側壁部２２と後部に設けられたリアゲート２４とを備えている。側壁部２２は、底板部２０の左右両側にそれぞれ、底板部２０に対してほぼ垂直に固定されている。側壁部２２の後部には、方向指示ランプ２６等が設けられている。
【００１４】
リアゲート２４は、底板部２０の後端に、蝶番で回動自在に取り付けられている。リアゲート２４の車幅方向中央には、図２に示すようにリアゲート２４と側壁部２２との係合を解除する操作レバー２８、及びハイマウントストップランプ２９が設けられている。リアゲート２４の上部Ａには、リアスポイラ１０が取り付けられている。
【００１５】
操作レバー２８は、リアゲート２４と側壁部２２との係合を解除するレバーであり、操作すると、リアゲート２４が後方に回動自在となる。リアゲート２４は後方に回動すると、底板部２０と同じ平面となる位置で止め具が作用し、底板部２０と連続した形で保持される。尚、リアゲート２４は、止め具を外すこと等により、底板部２０と同じ平面より下方に回動してもよい。ハイマウントストップランプ２９は、操作レバー２８の上方に設けられ、運転者のブレーキ操作に伴って明滅する。
【００１６】
リアスポイラ１０は、図１、図２に示すように、リアゲート２４の上部Ａに設けられている。リアスポイラ１０は、図３に示すように、リアゲート２４の上部Ａに固定されたリインフォースメント３６と、リアスポイラアッパ３８と、リアスポイラロア４０とを備えている。リインフォースメント３６は請求項でいう補強部材であり、上部にリアスポイラアッパ３８が取り付けられ、後部にリアスポイラロア４０が取り付けられている。
【００１７】
リアゲート２４は、図７に示すように荷箱１６の内側に設けられた内板３２と、内板３２に対向して荷箱１６の後側（外側）に設けられた外板３４とを備えている。外板３４は、後方に凸に湾曲した形状を有しており、リアゲート２４の上部Ａの後方には、外板３４の一部から斜め後下方に傾斜した傾斜部３５が形成されている。
【００１８】
リアゲート２４の上部Ａには、図３に示すように、雌ねじ部取付孔５０とクリップ用孔５２と水抜き孔５４が設けられている。雌ねじ部取付孔５０は、リアゲート２４の上端の車幅方向ほぼ中央に設けられている。雌ねじ部取付孔５０は、例えば矩形で、後述する雌ねじ部９０(図７参照)を雌ねじ部取付孔５０に嵌め込むと、雌ねじ部９０が雌ねじ部取付孔５０に保持される。雌ねじ部９０は、例えば合成樹脂材から形成され、雌ねじ部取付孔５０に保持された状態で内部の孔に雄ねじ８８を螺合させる。
【００１９】
クリップ用孔５２は、雌ねじ部取付孔５０の左右両側に設けられている。クリップ用孔５２は、後述するクリップ９４(図８等参照)が装入されるとそのクリップ９４を保持する。
【００２０】
次に、リインフォースメント３６について説明する。図４にリインフォースメント３６の斜視図を示す。リインフォースメント３６は、上板部４２と後板部４４とを備えて構成されている。上板部４２と後板部４４は、概ねＶ字形状に連結されており、例えば、プレス加工により金属材を所定の角度に屈曲して形成する。
【００２１】
上板部４２は、概ね平板状に形成されている。上板部４２の前端部Ｂは、リアゲート２４の上部Ａに沿った形状を有している。前端部Ｂは、例えばスポット溶接等で上部Ａ（外板３４）に固定される。上板部４２の後端部Ｃは、車幅方向中央部分が後方に若干突出した曲線を有している。
【００２２】
上板部４２には、下方に凹んだ第１から第９までの凹部６０（ａ〜ｉ）が９カ所に設けられている。リインフォースメント３６の幅方向ほぼ中央に第５凹部６０ｅが設けられ、第１凹部６０ａから第９凹部６０ｉの各凹部６０が、第５凹部６０ｅを中心にしてほぼ左右対称に設けられている。
【００２３】
リインフォースメント３６の前端部Ｂには、第１から第３の各切欠６２（ａ〜ｃ）が３カ所に設けられている。第２切欠６２ｂはリインフォースメント３６の車幅方向中央に、第１切欠６２ａは第４凹部６０ｄの近傍に、第３切欠６２ｃは第６凹部６０ｆの近傍にそれぞれ設けられている。
【００２４】
第２切欠６２ｂは、リアゲート２４の車幅方向中央に設けられた雌ねじ部取付孔５０に対応して設けられている。第２切欠６２ｂは、リアスポイラアッパ３８をリアゲート２４にねじ止めする際、リアスポイラアッパ３８に設けられた雌ねじ部９０を避けるように形成されている。これにより、リアスポイラアッパ３８の雄ねじ８８を止める雌ねじ部９０がリアゲート２４の雌ねじ部取付孔５０に直接嵌合される(図７参照)。
【００２５】
第１切欠６２ａと第３各切欠６２ｃは、リアゲート２４に設けられたクリップ用孔５２に対応して設けられている。第１切欠６２ａと第３各切欠６２ｃは、リアスポイラアッパ３８に取り付けられたクリップ９４をリアゲート２４に取り付ける際にクリップ９４を避けるように形成されている。これにより、リアスポイラアッパ３８がリアゲート２４に直接クリップ９４で組み付けられる。
【００２６】
第３凹部６０ｃから第７凹部６０ｇの各凹部６０には、クリップ用孔６４が設けられている。第１凹部６０ａと第２凹部６０ｂと第４凹部６０ｄと第６凹部６０ｆと第８凹部６０ｇと第９凹部６０ｉには、雌ねじ部取付孔６６が設けられている。したがって、第４凹部６０ｄと第６凹部６０ｆには、クリップ用孔６４と雌ねじ部取付孔６６の双方の孔が設けられている。
【００２７】
第１凹部６０ａと第９凹部６０ｉの雌ねじ部取付孔６６は、後述するリアスポイラアッパ３８の第１溝部１０２ａと第７溝部１０２ｇ（図６参照）に設けられた雄ねじ８８に螺合された雌ねじ部９０に対応している。第２凹部６０ｂと第４凹部６０ｄと第６凹部６０ｆと第８凹部６０ｈの雌ねじ部取付孔６６は、リアスポイラロア４０の第１から第４の支持片８２(ａ〜ｄ)（図５参照）に設けられた雄ねじ８８に螺合された雌ねじ部９０に対応している。
【００２８】
上板部４２の後端部Ｃには、図４に示すように後板部４４が設けられている。後板部４４には、車幅方向中央にハイマウントストップランプ２９の上方及び両側方を囲むようにハイマウントストップランプ２９を避けて窪ませたリインフォースメント側の窪み部７２が設けられている。窪み部７２は、ハイマウントストップランプ２９の上方で、後板部４４から車両前方に延びる上壁７３と、上壁７３の両側端から下方に延びる側壁７５とを有する。
【００２９】
後板部４４と上板部４２とは、それぞれの上端部Ｄ及び後端部Ｃにおいて、ほぼ直角か、それより狭い角度で連結されている。後板部４４の下端部Ｅは、スポット溶接等でリアゲート２４に固定する。側壁７５の下端は、後板部４４の下端部Ｅに連結されている。
【００３０】
上板部４２の第１凹部６０ａと第３凹部６０ｃと第４凹部６０ｄと第５凹部６０ｅと第６凹部６０ｆと第７凹部６０ｇと第９凹部６０ｉに対応して、後板部４４に第１から第７凹部７８（ａ〜ｇ）が形成されている。後板部４４に設けられた各凹部７８は、前方に向かって、上板部４２の各凹部６０に連続して凹んでいる。
【００３１】
後板部４４に設けられた第１から第７凹部７８（ａ〜ｇ）には、クリップ用孔８０が設けられている。第２凹部７８ｂと第３凹部７８ｃと第５凹部７８ｅと第６凹部７８ｆに設けられた各クリップ用孔８０は、対応する上板部４２の各凹部６０に設けられたクリップ用孔６４を通る前後方向に沿った鉛直面内に形成されている。第１から第７凹部７８（ａ〜ｇ）に設けられたクリップ用孔８０は、後述するリアスポイラロア４０に設けられているクリップ９４に対応している。
【００３２】
次に、リアスポイラロア４０について説明する。リアスポイラロア４０は、基本的に合成樹脂材で形成されている。図５はリアスポイラロア４０を後方斜め上方から示す斜視図である。リアスポイラロア４０は、図３に示すようにリインフォースメント３６に車両の後方から組み付けられる。
【００３３】
図５に示すようにリアスポイラロア４０の幅方向中央には、スポイラ側の窪み部４１が形成されている。窪み部４１は、リアスポイラロア４０をリアゲート２４に取り付けたとき、リアゲート２４に設けられているハイマウントストップランプ２９を避けるように形成されている。
【００３４】
窪み部４１の車幅方向外側に位置するリアスポイラロア４０の下端は、図７に示すようにハイマウントストップランプ２９より下方に位置している。すなわち、窪み部４１は、ハイマウントストップランプ２９の両側方及び上方を囲むように、ハイマウントストップランプ２９に対応する部位を上方に窪ませている。
【００３５】
リアスポイラロア４０の上端Ｆには、図５に示すように、上端Ｆから前方に突出した第３係合部としての第１から第４の支持片８２(ａ〜ｄ)が４か所に設けられている。第１から第４の各支持片８２には、前方中央にねじ用孔８４が設けられている。又、各支持片８２の側縁及び前縁には、図５、図９に示すように所定の高さを有する縦壁８６が連続して設けられている。
【００３６】
縦壁８６は、図５に示すように、上面視で略Ｕ字状に形成され、リアスポイラロア４０とリアスポイラアッパ３８をリインフォースメント３６に組み付けると、図９に示すようにリアスポイラアッパ３８の裏面とわずかな隙間で対向する高さを有している。
【００３７】
縦壁８６は、支持片８２の剛性を向上させるとともに、リアスポイラアッパ３８の上から荷重が掛かった際に、リアスポイラアッパ３８を下から支え、荷重をリインフォースメント３６に伝える役割を果たす。このとき縦壁８６は、支持片８２の側縁及び前縁に連続して設けられていることで、剛性が高く、破損し難い構造となっている。
【００３８】
ねじ用孔８４には、図９に示すように雄ねじ８８が予め通され、ねじ用孔８４に通された雄ねじ８８のねじ部には樹脂製の雌ねじ部９０が螺合している。雌ねじ部９０は、リインフォースメント３６の雌ねじ部取付孔６６に組み付けられる。尚、雄ねじ８８と雌ねじ部９０は、後述するリアスポイラアッパ３８においても同様な構成を有している。
【００３９】
リアスポイラロア４０の上面には、図５に示すように挿込口９２がリアスポイラロア４０の車幅方向中央を中心にしてほぼ対称の位置に７カ所設けられている。各挿込口９２は、後述するリアスポイラアッパ３８に設けられた挿込片１０６にそれぞれ対応している。
【００４０】
リアスポイラロア４０の前面（内側面）には、クリップ９４が７カ所に設けられている。各クリップ９４は、図８に示すようにリアスポイラロア４０に設けられた第２係合部としてのクリップ取付部９６に着脱可能に取り付けられている。クリップ取付部９６は、第１から第７凹部７８（ａ〜ｇ）に設けられたクリップ用孔８０（図４参照）にそれぞれ対応して設けられる。
【００４１】
又、図７、図１０に示すように、リアスポイラロア４０の内側面には、リブ１００、及び縦リブ１０１が設けられている。リブ１００は、ハイマウントストップランプ２９を避けるために設けられた窪み部４１により細く形成されているリアスポイラロア４０の中央部分Ｈの庇板１０３の上面に複数設けられている。リブ１００は、庇板１０３から上方（リインフォースメント３６側）に向かい突出し、前後方向に延在している。
【００４２】
縦リブ１０１は、中央部分Ｈの後板４５の内側（リインフォースメント３６を向く面）に複数設けられている。縦リブ１０１は、後板４５から前方（リインフォースメント３６側）に向かい突出し、上下方向に延在している。
【００４３】
リアスポイラロア４０をリインフォースメント３６に組み付けると、雌ねじ部９０がリインフォースメント３６に設けられた雌ねじ部取付孔６６に保持され、クリップ９４が、リインフォースメント３６に形成されたクリップ用孔８０に組み付けられる。
【００４４】
又、支持片８２が、リインフォースメント３６に設けられたそれぞれの凹部６０の凹みの底部に保持される。更に、クリップ取付部９６が、リインフォースメント３６に設けられたそれぞれの凹部７８の凹みの内側に保持される。
【００４５】
又、リアスポイラロア４０をリインフォースメント３６に組み付けると、リブ１００が、ハイマウントストップランプ２９を避けるために設けられた窪み部７２により細く形成されているリインフォースメント３６の中央部分Ｇの上壁７３(図４参照)に、図７に示すように少しの隙間を有して対向する位置に配置される。
【００４６】
次に、リアスポイラアッパ３８について説明する。リアスポイラアッパ３８は、リアスポイラロア４０と同様、基本的に合成樹脂材で形成されている。図６は、リアスポイラアッパ３８を後方斜め上方から示す斜視図、図１１は、同裏面図である。リアスポイラアッパ３８は、図３に示すようにリインフォースメント３６に車両１２の上方から組み付けられる。
【００４７】
図６に示すようにリアスポイラアッパ３８の上面には、第１から第７の溝部１０２（ａ〜ｇ）が形成されている。第１から第７の各溝部１０２は、下方に凹んだ凹部であり、基本的に同一の幅で同一の深さを有している。尚、各溝部１０２の幅や深さは、互いに異なっていてもよい。第１溝部１０２ａと第４溝部１０２ｄと第７溝部１０２ｇの各溝部には、ねじ用孔１０４が設けられている。
【００４８】
図１１に、リアスポイラアッパ３８の裏面を示す。図１１には、前方から見たリアスポイラアッパ３８の右側にあたる箇所しか示していないが、リアスポイラアッパ３８は、リアスポイラアッパ３８の左側に関しても右側と同様の構造となっている。リアスポイラアッパ３８の裏面の第１から第７の各溝部１０２（裏面からでは突部となっている）には、後方に、第１から第７の挿込片１０６（ａ〜ｇ）が設けられている。第１から第７の挿込片１０６（ａ〜ｇ）は、リアスポイラロア４０に設けられた挿込口９２に対応している。
【００４９】
リアスポイラ１０を第４溝部１０２ｄの位置で破断した断面図を図７に示す。第１溝部１０２ａと第４溝部１０２ｄと第７溝部１０２ｇの各ねじ用孔１０４には、図７に示すように雄ねじ８８が通してあり、更にその雄ねじ８８に雌ねじ部９０が予め螺合されている。第１溝部１０２ａと第７溝部１０２ｇのねじ用孔１０４は、リインフォースメント３６に設けられた雌ねじ部取付孔６６（図４参照）に対応し、第４溝部１０２ｄのねじ用孔１０４は、リアゲート２４に設けられた雌ねじ部取付孔５０（図３参照）に対応している。
【００５０】
リアスポイラアッパ３８の裏面の第２溝部１０２ｂと第３溝部１０２ｃと第５溝部１０２ｅと第６溝部１０２ｆの各溝部には、図８に示すようにクリップ９４が２つ取り付けられている。リアスポイラ１０を第３溝部１０２ｃの位置で破断した断面図を図８に示す。
【００５１】
第４溝部１０２ｄには、前方に前述したねじ用孔１０４が設けられ、更に、ねじ用孔１０４と挿込片１０６ｄの間にクリップ９４が設けられている（図７参照）。各クリップ９４は、リアスポイラアッパ３８に設けられた第１係合部としてのクリップ取付部９６に取り付けられている。
【００５２】
第２溝部１０２ｂと第６溝部１０２ｆに取り付けられたクリップ９４は、リインフォースメント３６に設けられたクリップ用孔６４に対応している。第３溝部１０２ｃと第５溝部１０２ｅの後方に取り付けられたクリップ９４、及び第４溝部１０２ｄに取り付けられたクリップ９４は、リインフォースメント３６に設けられたクリップ用孔６４に対応している。第３溝部１０２ｃと第５溝部１０２ｅの前方側に取り付けられたクリップ９４は、リアゲート２４に設けられたクリップ用孔５２(図３参照)に対応している。
【００５３】
次に、リアスポイラ１０の全体について説明する。リインフォースメント３６は、前端部Ｂと下端部Ｅをスポット溶接等でリアゲート２４に固定する。リアゲート２４にリインフォースメント３６が設けられたら、リインフォースメント３６にリアスポイラアッパ３８とリアスポイラロア４０を組み付ける。
【００５４】
まず、リアスポイラアッパ３８とリアスポイラロア４０に設けられたねじ用孔８４に雄ねじ８８と雌ねじ部９０を取り付け、又、クリップ取付部９６にクリップ９４を組み付ける。そして、リアスポイラロア４０に設けた雌ねじ部９０を、リインフォースメント３６の第２凹部６０ｂと第４凹部６０ｄと第６凹部６０ｆと第８凹部６０ｈの雌ねじ部取付孔６６に嵌めこむ。
【００５５】
これにより、雄ねじ８８により支持片８２がリインフォースメント３６に固定される。又、リアスポイラロア４０に取り付けたクリップ９４をリインフォースメント３６の後板部４４に設けられたクリップ用孔８０に嵌め込む。
【００５６】
リアスポイラロア４０は、雄ねじ８８により支持片８２がリインフォースメント３６に固定されることにより、組み付けられる。更に支持片８２は、リインフォースメント３６に設けられた凹部６０の内側に保持され、安定してリインフォースメント３６に組み付けられる。更にリアスポイラロア４０は、複数のクリップ９４によりリインフォースメント３６に強固に組み付けられる。クリップ取付部９６は、凹部７８の内側に保持され、安定してリインフォースメント３６に配置される。
【００５７】
リアスポイラロア４０がリインフォースメント３６に組み付けられたら、リアスポイラアッパ３８をリインフォースメント３６に組み付ける。リアスポイラアッパ３８にも、リアスポイラロア４０と同様、雄ねじ８８を雌ねじ部９０により第１溝部１０２ａと第４溝部１０２ｄと第７溝部１０２ｇのねじ用孔１０４に取り付ける。
【００５８】
又、第２溝部１０２ｂと第３溝部１０２ｃと第４溝部１０２ｄと第５溝部１０２ｅと第６溝部１０２ｆに設けられたクリップ取付部９６にクリップ９４を取り付ける。
【００５９】
雄ねじ８８とクリップ９４がそれぞれリアスポイラアッパ３８に取り付けられたら、リアスポイラアッパ３８をリインフォースメント３６に上方から組み付ける。すると、第１溝部１０２ａと第７溝部１０２ｇに取り付けられた雄ねじ８８が、リインフォースメント３６の第１凹部６０ａと第９凹部６０ｉに設けられた雌ねじ部取付孔６６に雌ねじ部９０により固定される。又、第４溝部１０２ｄの雄ねじ８８が、リアゲート２４に設けられた雌ねじ部取付孔５０に雌ねじ部９０により固定される。
【００６０】
更に、第２溝部１０２ｂと、第３溝部１０２ｃの後方と、第４溝部１０２ｄと、第５溝部１０２ｅの後方と、第６溝部１０２ｆの各クリップ９４がリインフォースメント３６に設けられたクリップ用孔６４に取り付けられ、第３溝部１０２ｃと第５溝部１０２ｅの前方のクリップ９４がリアゲート２４に設けられたクリップ用孔５２に取り付けられる。
【００６１】
又、リアスポイラアッパ３８に設けられた挿込片１０６が、リアスポイラロア４０に設けられた挿込口９２に挿入される。そして、各クリップ取付部９６がリインフォースメント３６のそれぞれの凹部７８の内側に配置され、リアスポイラロア４０が安定して固定される。
【００６２】
リアスポイラ１０は、図１や図２に示すようにハイマウントストップランプ２９の部分を避けるために、リアスポイラロア４０の中央部分Ｈが細くなっている。そのため、リアスポイラ１０は、例えば開いたリアゲート２４を閉じるときには、中央部分Ｈを把持すると操作しやすい形状となっている。
【００６３】
リアスポイラロア４０の中央部分Ｈは、図１０に示すようにリブ１００と縦リブ１０１が設けられているので、高い剛性を有している。すなわち、リブ１００が庇板１０３の剛性を向上させ、縦リブ１０１が後板４５の剛性を向上させている。
【００６４】
又、リアスポイラロア４０は、仮に作業者が、中央部分Ｈを把持してリアゲート２４が開いた状態からリアゲート２４を引き上げたとしても、リブ１００がリインフォースメント３６の中央部分Ｇ（上壁７３）に接し、リアゲート２４を閉じる力はリインフォースメント３６に直に伝達される。したがって、リアゲート２４を容易に閉じることができ、かつリアゲート２４を閉じる際の力がリインフォースメント３６に掛り、リアスポイラロア４０に大きな力が掛かることがない。
【００６５】
また、リブ１００が車両前後方向に延びているため、庇板１０３の前端が上方かつ後方へ折れるような変形に対する剛性が向上し、中央部分Ｈを把持してリアゲート２４を引き上げた際のリアスポイラロア４０の変形を防止できる。更に、縦リブ１０１により、中央部分Ｈに力が加わった際に、リアスポイラロア４０の後板４５が変形することを防止できる。
【００６６】
リアスポイラロア４０の上面の挿込口９２にリアスポイラアッパ３８の挿込片１０６を挿入し、リアスポイラロア４０とリアスポイラアッパ３８とが連結されている。これにより、リアスポイラロア４０に掛かる力をリアスポイラアッパ３８に分散することができ、又、リアスポイラアッパ３８に掛かる力をリアスポイラロア４０に分散することができる。
【００６７】
窪み部４１が、リアスポイラロア４０の車幅方向中央に位置しているので、リアゲート２４を引き上げる際に中央部分Ｈを把持しやすく、また、見栄えが良い。
【００６８】
リインフォースメント３６には、リアスポイラロア４０と同様に、ハイマウントストップランプ２９を避ける窪み部７２が設けられている。リインフォースメント３６の窪み部７２は、上壁７３と側壁７５により形成され、側壁７５はリインフォースメント３６の下端部Ｅに連結している。中央部分Ｈを把持してリアゲート２４を引き上げた際、リブ１００が上壁７３に接することで伝達されたリアゲート２４を閉じる際の力が上壁７３から側壁７５を通り、リインフォースメント３６の下端部Ｅに伝わる。下端部Ｅは、強固にリアゲート２４に固定されているため、リインフォースメント３６の変形を抑制できる。
【００６９】
尚、本発明は、上記実施形態に限るものではなく、他の形態で使用できる。
【産業上の利用可能性】
【００７０】
本発明は、荷箱を備えた車両に利用できる。
【符号の説明】
【００７１】
Ａ…上部、Ｂ…前端部、Ｃ…後端部、Ｄ…上端部、Ｅ…下端部、Ｆ…上端部、１０…リアスポイラ、１２…車両、１４…車室、１６…荷箱、１８…後壁、２０…底板部、２２…側壁部、２４…リアゲート、２６…方向指示ランプ、２８…操作レバー、２９…ハイマウントストップランプ、３２…内板、３４…外板、３６…リインフォースメント、３８…リアスポイラアッパ、４０…リアスポイラロア、４１…窪み部、４２…上板部、４４…後板部、４５…後板、５０…雌ねじ部取付孔、５２…クリップ用孔、５４…水抜き孔、６０…凹部、６２…切欠部、６４…クリップ用孔、６６…雌ねじ部取付孔、７２…窪み部、７３…上壁、７５…側壁、７８…凹部、８０…クリップ用孔、８２…支持片、８４…ねじ用孔、８６…縦壁、８８…雄ねじ、９０…雌ねじ部、９２…挿込口、９４…クリップ、１００…リブ、１０１…縦リブ、１０２…溝部、１０３…庇板、１０４…ねじ用孔、１０６…挿込片。
【図１】
2019098835.tif 000003
【図２】
2019098835.tif 000004
【図３】
2019098835.tif 000005
【図４】
2019098835.tif 000006
【図５】
2019098835.tif 000007
【図６】
2019098835.tif 000008
【図７】
2019098835.tif 000009
【図８】
2019098835.tif 000010
【図９】
2019098835.tif 000011
【図１０】
2019098835.tif 000012
【図１１】
2019098835.tif 000013